(57)【要約】【課題】ユーザの好みに合わせて発光方向を簡単に変更したり、調整することができる発光表示器を低コストで提供する。【解決手段】スリットを有する筐体１０の内部に設けた光源３と、光源３の近傍から取り込んで出射面４Ｂ，４Ｃから出射する出射光をスリット１０Ｄ，１０Ｅを介した外部から視認するために筐体１０の内部に設けた導光板４とを備えた発光表示器２であって、導光板４は、複数の被係合部４Ｄ，４Ｅを有するとともに、筐体１０の内部には、複数の被係合部４Ｄ，４Ｅのいずれかと選択的に係合する係合部１１Ａを有する押圧部材１１と導光板４を挟持する挟持部材１２とを備え、押圧部材１１と挟持部材１２とにより導光板４を挟持しながら導光板４の姿勢を変化させることにより、出射光の出射方向を変更させるように構成した。【選択図】　図２
2004144911.tif 000002
【特許請求の範囲】
【請求項１】
スリットを有する筐体の内部に配置した光源と、前記光源の近傍から取り込んで出射面から出射する出射光を前記スリットを介して前記筐体外部へ出射するために前記筐体の内部に配設した導光板とを備えた発光表示器であって、
前記導光板は、複数の被係合部を有するとともに、
前記筐体の内部には、前記複数の被係合部のいずれかと選択的に係合する係合部を有する押圧部材と前記導光板を挟持する挟持部材とを備え、
前記押圧部材と挟持部材とにより前記導光板を挟持して前記導光板の姿勢を変化させるように構成したことを特徴とする発光表示器。
【請求項２】
前記挟持部材は、前記導光板を挟持する一対のものから構成しているとともに、前記導光板と対面する挟持面側の少なくとも一部に、前記導光部材に部分的当接若しくは圧接しながら挟持する挟持部を備えたことを特徴とする請求項１に記載の発光表示器。
【請求項３】
前記挟持部材の前記挟持部は、前記光源からの光が進行する方向に向けて窄まった断面テーパ状のテーパ面をすることを特徴とする請求項２に記載の発光表示器。
【請求項４】
前記導光板は、前記挟持部材に挟持される被挟持面の一部に、前記挟持部材の前記挟持面又は前記挟持部と部分的に当接状態若しくは圧接状態を保持しながら姿勢を変更させるために前記被挟持面から膨出させて若しくは窪ませて設けた被挟持部を有することを特徴とする請求項１乃至３のいずれか１項に記載の発光表示器。
【請求項５】
前記導光板の前記被挟持部は、前記導光板の前記被挟持面から膨出した膨出部で構成されているとともに、
前記膨出部は、前記導光板の挟持姿勢に応じて、前記挟持部材の挟持面側に一辺部分若しくは表面の一部が当接するか若しくは圧接する固有形状を有することを特徴とする請求項４に記載の発光表示器。
【請求項６】
前記導光板は、前記スリットの縁部に係止した状態で前記スリットの前記縁部を中心として回動しながら前記姿勢を変更させるときの支点となる係止点を外縁部の一部に有するとともに、
前記導光板の内部を導光されてきた前記光が出射する前記出射面と隣接する前記導光板の外縁部分が前記スリットとの間に隙間を発生しないような固有形状を有することを特徴とする請求項１乃至５のいずれか１項に記載の発光表示器。
【請求項７】
前記スリットは、複数の外面に亙り前記外面どうしが交わるエッジ部分を含んで穿設してあることを特徴とする請求項１乃至６のいずれか１項に記載の発光表示器。
【発明の詳細な説明】
【０００１】
【発明の属する技術分野】
本発明は、筐体内部に設けた光源からの光を導光し少なくとも筐体外面のエッジ部分を含む複数外面から出射する発光表示器に係り、特に筐体外面での出射方向を変更したり、調整して外部に表示することができる発光表示器に関するものである。
【０００２】
【従来の技術】
計器状態を外部に表示するパイロットランプやインジケータなどのような発光照明のために、光源からの光を導光させて所望の部位を発光させる発光表示器が各種提案され、開発されている（例えば、特許文献１参照。）。
【０００３】
例えば、図１２に示すように、この特許文献１に記載の発光表示器１００は、断面略Ｌ字型の導光板１０１の内部において、光源１０２からの光を一端部１０１Ａから入射・導入し、この導入した光を導光板１０１内の中間部に設けた角部１０１Ｂで反射させた後、他端部１０１Ｃまで導光させてその他端部１０１Ｃから外部へ出射・発光させる構成となっている。
【０００４】
ところで、通常、このような発光表示器にあっては、導光板の一方の端部が、この導光板や光源等を納めた筐体に対して、位置的に固定されているものである。即ち、これは、製造するメーカの方で、ユーザが使用する際に、普通、一般に設置することが予想される筐体の配置状態を想定し、その状態でユーザが最も確認しやすいと思われる部位を決定して、そこから出射させるように導光板の設置位置が予め定められ固定されている。
【０００５】
【特許文献１】
特開平１０−４９０６６号公報（第１頁　図１）
【０００６】
【発明が解決しようとする課題】
しかしながら、近年、ユーザの嗜好の多様化、用途の多角化、居住様式の変化などが顕著となり、各種の電気機器においても、製造メーカで一方的に想定し設定していた電気機器の筐体の配置態様が、一義的に固定されたものでは通用しなくなりつつあると共に、好まれなくなる傾向にある。
【０００７】
例えば各種の電話機器、通信機器、電気的手段を伴う撮影機器などにあっては、設置場所も、個々のユーザの好みや設置場所などの事情に合わせて、テーブルや壁或いは天井などのように、設置態様が様々に異なることが予想されている。
【０００８】
このような事情から、電気機器に設けたパイロットランプやインジケータなどの発光表示器にあっても、設置態様に合わせて、最適で見易い方向に発光部分を設定できるような構成のものが強く切望されている。
【０００９】
そこで、本発明は、上記した事情に鑑み、ユーザの好みに合わせて発光方向を簡単に変更したり、調整することができる発光表示器を低コストで提供することを目的とするものである。
【００１０】
【課題を解決するための手段】
本発明の発光表示器は、スリットを有する筐体の内部に配置した光源と、前記光源の近傍から取り込んで出射面から出射する出射光を前記スリットを介して前記筐体外部へ出射するために前記筐体の内部に配設した導光板とを備えた発光表示器であって、
前記導光板は、複数の被係合部を有するとともに、
前記筐体の内部には、前記複数の被係合部のいずれかと選択的に係合する係合部を有する押圧部材と前記導光板を挟持する挟持部材とを備え、
前記押圧部材と挟持部材とにより前記導光板を挟持して前記導光板の姿勢を変化させるように構成したことを特徴としている。
【００１１】
これにより、ユーザの好みに合わせて導光板の姿勢を変更させることで、出射方向を簡単に変更したり、調整することができる。
【００１２】
また、本発明の発光表示器は、前記挟持部材が、前記導光板を挟持する一対のものから構成されているとともに、前記導光板と対面する挟持面側の少なくとも一部に、前記導光部材に部分的当接若しくは圧接しながら挟持する挟持部を備えたことを特徴としている。
【００１３】
これにより、挟持部材が導光板を部分的に挟持するので、導光板が姿勢を変更させる際に、大きな力を作用させなくても、比較的軽い力で姿勢変更が可能となる。
【００１４】
また、本発明の発光表示器は、前記挟持部材の前記挟持部が、前記光源からの光が進行する方向に向けて窄まった断面テーパ状のテーパ面をすることを特徴としている。
【００１５】
これにより、外部から導光板を挿入するのが容易になるとともに、簡単な構造のもので外部へ脱落するのを防止することができるようになる。
【００１６】
また、本発明の発光表示器は、前記導光板が、前記挟持部材に挟持される被挟持面の一部に、前記挟持部材の前記挟持面又は前記挟持部と部分的に当接状態若しくは圧接状態を保持しながら姿勢を変更させるために前記被挟持面から膨出させて若しくは窪ませて設けた被挟持部を有することを特徴としている。
【００１７】
これにより、導光板についても挟持部材に対して部分的に挟持されるので、導光板が姿勢を変更させる際に、さらに軽い力で姿勢変更が可能となる。
しかも、挟持部材と挟持する接触面積が小さくて済むので、導光板の内部を導光する光が接触部位から挟持部材内部の方へ一部漏れ出すような構成の場合には、その割合を小さく抑えることができるようになる。
【００１８】
また、本発明の発光表示器は、前記導光板の前記被挟持部が、前記導光板の前記被挟持面から膨出した膨出部で構成されているとともに、
前記膨出部は、前記導光板の挟持姿勢に応じて、前記挟持部材の挟持面側に一辺部分若しくは表面の一部が当接するか若しくは圧接するように、厚さ方向の断面が固有形状を有することを特徴としている。
【００１９】
これにより、導光板の厚さ方向は挟持部材の挟持部が被挟持部を挟持するとともに、導光板の厚さ方向に直交する面方向は、同様に導光板の被挟持部が挟持部材の挟持部に挟持される一方、導光板の一端部を押圧部材に押圧させることにより、２箇所で挟持させた状態となる。
【００２０】
従って、導光板の姿勢を変化させる際に、導光板には回動中心点となる回転軸を設けなくても、挟持部材と押圧部材で厚さ方向及び面方向を拘束させた状態のまま、換言すればある程度の自由度を確保した状態で、導光板はその位置、つまり姿勢を変化させることにより、出射方向を変更することができる。
【００２１】
また、本発明の発光表示器は、前記導光板が、前記スリットの縁部に係止した状態で前記スリットの前記縁部を中心として回動しながら前記姿勢を変更させるときの支点となる係止点を外縁部の一部に有するとともに、
前記導光板の内部を導光されてきた前記光が出射する前記出射面と隣接する前記導光板の外縁部分が前記スリットとの間に隙間を発生しないような固有形状を有することを特徴としている。
【００２２】
これにより、スリットの縁部を中心として導光板を回動させてその姿勢を変化させても、導光板と筐体に穿設したスリットとの間に隙間を生じることがなく、外部からの埃や水分の浸入により、内部機器が故障するといったトラブルを防止することができる。
【００２３】
また、本発明の発光表示器は、前記スリットが、複数の外面に亙り前記外面どうしが交わるエッジ部分を含んで穿設してあることを特徴としている。
【００２４】
これにより、筐体外面部分のうち複数の外面について、導光板の出射面における出射方向を調整したり、変更することができる。しかも、導光板のエッジ部分からも出射させることができるので、輝度の高い発光状態も可能となる。
【００２５】
【発明の実施の形態】
以下、本発明に係る実施の形態について、添付図面を参照しながら詳細に説明する。
図１は、本発明の一実施の形態に係る発光表示器が適用されたセキュリテイ用の無線動画像伝送装置の子機１を示すものであり、この子機１は、監視カメラ５で撮像した動画像を図示外の親機との間で無線伝送するようになっており、図２に示す発光表示器２を内蔵している。
【００２６】
子機１は、本実施の形態では天井面にブラケット６（図９参照）を介して固定されており、筐体１０の内部に送信機（共に図示せず）及び発光表示器２などを備えるとともに筐体１０の外部にアンテナ１３を備えており、子機１と監視カメラ５とは図示しないケーブルなどで接続されている。
【００２７】
この筐体１０は、略薄型箱状に形成されており、天面１０Ａ（図１では底部に位置する）及び側面１０Ｂ（図１では正面に位置する。以下、これを「正面」とよぶ）の交わる稜線１０Ｃ（以下、これを「エッジ部分」とよぶ）を跨いだ２方向に向けて発光表示器２の出射面（発光面）４Ｂ，４Ｃ（図２参照）を露出させたスリット１０Ｄ，１０Ｅが、互いに隣接する２個所に穿設されており、それぞれ所定の機能の動作状態（例えば、電源の通電状態と、通信中の状態）を表示するためのインジケータを構成している。
【００２８】
このスリット１０Ｄには、図８において、筐体１０の互いに隣り合う２面において、それぞれ略方形状に開口された開口部分の縁部に沿って一段窪ませたステップ状の受け部１０Ｇが形成されている。
【００２９】
特に、本実施の形態では、前述の２面に亙り形成されたステップ状の受け部１０Ｇのうち、その長さ方向（スリット１０Ｄの幅方向に直交する方向）の長さが長く形成されている方の面の開口縁部に設けた受け部αが、導光板４の姿勢を変更させるために行う回動動作の際に、後述する導光板４の係止点（支点）である角部βを支持する支持手段として機能するようになっている。なお、もう一方のスリット１０Ｅも、同様の構成となっており、図示しないが同様の受け部αが形成されている。
【００３０】
また、この筐体１０には、図２において、後述する導光板４と弾性的に係合する押圧部材１１と、導光板４を挟持する挟持部材１２とを備えている。このうち、押圧部材１１は、先端が断面半円形状に突出した係合部１１Ａを設けており、導光板４の姿勢の変化（図２又は図３）に応じて、この係合部１１Ａが、後述する各被係合部４Ｄ，４Ｅのいずれかの部位と係合するようになっている。
【００３１】
一方、挟持部材１２は、筐体１０の内壁面から突設した略棒状に形成されており、図４に示すように、互いに対向する１対のもので構成されている。
また、この挟持部材１２には、図４に示すように、互いに対向して導光板４を挟持する挟持面１２Ａの一部に、光源３（図２参照）からの光が進行する方向に向けて窄まった断面テーパ状のテーパ面１２Ｂを有しており、図８に示すように導光板４を筐体１０の内部に挿入・装着する際に、挿入し易くなっている。
【００３２】
また、この挟持部材１２には、図４及び図５に示すように、互いに対向する各挟持面１２Ａにおいて、テーパ面１２Ｂとは反対面に段差面１２Ｃ，１２Ｄを有するステップ部が形成されており、この段差面１２Ｃには、後述する導光板４の膨出部４１（本発明の被挟持部を構成する）の一端部が係止するようになっている。
【００３３】
発光表示器２は、筐体１０の内部に設けた光源３と、一端面（入射面）が光源３に臨み他端面（出射面）が筐体１０のスリット１０Ｄ及び１０Ｅを通して外部から視認可能な筐体１０内部に設けた導光板４とを備えたもので構成されており、各光源３からの光を各導光板４の一端部から入射して他端面から筐体１０外部にそれぞれ出射して発光するように構成されている。
【００３４】
なお、本実施の形態では、この発光表示器２を互いに隣接して一対設けた構成となっており、それぞれ、電源状態の確認用及び通信状態確認用のインジケータを構成しているが、特にこの発光表示器２は、本実施の形態のような一対（２個）のものに限定されるものではなく、１個であっても、或いは３個以上であってもよい。
【００３５】
光源３には、点光源である発光ダイオード（ＬＥＤ）が用いられており、導光板４の一端面（入射面）の一部から発光用の光を入射・導入するようになっている。この光源３から出射する光には、可視光域内の固有波長のものを用いており、例えば本実施の形態では、各インジケータに応じてそれぞれ固有の色で発光するように、それぞれ異なる波長の光を発光させるように構成されている。また、この光源３から出射される光については、中央部が最大光強度となる正規分布（ガウス分布）に近い状態で発光する構成のものを用いている。
【００３６】
なお、この実施形態の他に、例えば、各光源３には、同一波長を出射する２個のものを用いるとともに、導光板４は自身の色が互いに異なる半透明部材で構成してもよい。また、各導光板４に光源３からの光を入射させる入射面には、光源３からの光を複数に分割して各導光板４へ導く適宜の分割手段と、この分割した光を選択的に遮断するシャッタとを設ければ、複数の導光板４用の光源３を１個のもので共用させることも可能である。
【００３７】
導光板４は、筐体１０内部に設けた光透過性の良好な略板状の透明部材（例えば、透明度の高いＰＭＭＡ（ポリ・メチル・メタ・アクリレート）など）又は半透明部材で構成されており、一端面（入射面）の一部（例えば図２のような「傾斜姿勢」の場合には４Ａ（副入射部）、また、図３のような「標準姿勢」の場合には４Ｄ（主入射部））が光源３に臨んで近接配置されているとともに、他端側の２面４Ｂ，４Ｃ（出射面）が筐体１０のスリット１０Ｄ又はスリット１０Ｅを通して外部から視認可能な状態で配設されている。
【００３８】
この導光板４は、挟持部材１２に挟持された状態のまま姿勢を変更させることにより、筐体１０から外部への発光方向を切替え可能（図７（Ａ）の「標準方向」又は同図（Ｂ）の「傾斜方向」の２方向のいずれかに変更可能）になっている。特に、この導光板４には、姿勢変更の際の回動中心となる回動軸を備えていないが、前述のスリットの開口縁部に設けた受け部α（図８参照）が導光板４の姿勢を変更させる際の回動支点として動作する際に、この受け部αから導光板４が脱落することなく回動できるようになっている。
【００３９】
即ち、この導光板４には、図６に示すように、略鉤型に形成した凹状の角部βが形成されており、この角部βが受け部αに常時係止した状態で、換言すれば、この角部βを係止点（支点）として、回動しながらその姿勢を変化させるように構成されている。
【００４０】
また、この導光板４は、図２において、面（Ｘ）方向については押圧部材１１の係合部１１Ａと挟持部材１２の段差面１２Ｃとで挟持され、かつ、厚さ（Ｚ）方向については両挟持部材１２の挟持面１２Ａの間で拘束された状態で、即ち２方向について都合３個所で拘束された状態を保持しながら、姿勢変更を確実に行うことができるようになっている。
【００４１】
さらに、この導光板４には、図６において、押圧部材１１の係合部１１Ａ（図２及び図３参照）に係合する湾曲形状を有する２個所の被係合部４Ｄ，４Ｅを一端面側に設けており、これによって２種類の状態に姿勢を変更（図２に示す「傾斜姿勢」及び図３に示す「標準姿勢」）できるようになっている。なお、本実施の形態では、２個所の被係合部４Ｄ，４Ｅを導光板４に設けたが、特にこの２箇所に限定されるものではなく、もっと木目細かい微調整を行うために、３箇所以上の被係合部を設けても良い。
【００４２】
また、この導光板４には、この導光板４を挟持する挟持部材１２の挟持面１２Ａに隣接して設けた段差面１２Ｃに係止するように、外形形状が略四角形状を有する膨出部４１（これが本発明の被挟持部を構成する）を被挟持面４０から膨出させた状態で設けている。
【００４３】
この膨出部４１は、導光部材４の挟持姿勢に応じて、段差面１２Ｃに、表面の一部が当接若しくは圧接するか（図２に示す状態）、または、一辺部分が当接若しくは圧接する（図３に示す状態）ように、固有形状を呈する変形した四角形状及び厚さ（Ｚ）方向の断面が固有の形状を有している。
【００４４】
即ち、この膨出部４１では、図５において、出射面４Ｂ，４Ｃに対向する一辺４１Ｂが略弓形にカーブした固有形状の曲面を有しており、特に、この曲面は、導光板４が回動しながら姿勢を変更させるときに挟持部材１２の段差面１２Ｃと常時滑らかに当接できるような、挟持部材１２の段差面１２Ｃに向けて大きな曲率半径（小さな曲率）で突出した凸状の曲面形状に形成されている。
【００４５】
しかも、この膨出部４１は、Ａ方向からみた一辺４１Ａにおいて出射面４Ｂ寄りの方が厚く（図４参照）、またＢ方向から見た一辺４１Ｂにおいて出射面４Ｃ寄りの方が厚くなるような固有の膨出（厚さ）形状に形成されている。
なお、本発明の被挟持部としては、本実施の形態に示す膨出部４１のように被挟持面４０から膨出させるのでなく、被挟持面４０から窪ませた構成のものでもよい。
【００４６】
さらに、この導光板４は、図２において、挟持部材１２に挟持された状態のまま姿勢を変化させても、光源３からの光が内部を導光・透過された後に出射する他端部の出射面４Ｃと隣接する部分の外縁面４Ｆ部分（図６参照）が、筐体１０に開口したスリット１０Ｄとの間で隙間を発生しないような固有の曲面形状を有している。
【００４７】
即ち、この外縁面４Ｆは、図６に示すように、導光板４において略鉤型を呈する凹状の角部βを中心として導光板４を回動させるときの回動半径Ｒが一定となる円弧であって、角部βを中心として少なくとも導光板４の回動角度θだけ回転するときの円弧長Ｌ（つまり、半径Ｒの円において中心角θに相当する円弧長さ）を有する形状に形成されている。
【００４８】
また、この導光板４には、光源３からの光が出射する導光板４の他端部である出射面４Ｂ，４Ｃに、微細な凹凸を有する梨地（又はエンボス）加工を施してあり、各出射面から出射する光を拡散させて略均一化させることができるようになっている。また、本実施の形態の導光板４は、２枚のもので構成したが、特にこの枚数は制限がなく、１枚でも２枚以上の複数枚でもよく、その設置枚数は自由である。
【００４９】
次に、本実施の形態に係る発光表示器２の作用について説明する。
無線動画像伝送装置の子機１を動作させると、その発光表示器２における各インジケータの発光部を構成する導光板４の出射面４Ｂ，４Ｃからは、それぞれ、子機１の動作状態に応じて固有の色で発光する。
【００５０】
ところが、このインジケータの発光方向は、子機１の設置態様に応じて微妙に異なり、例えば子機１を図１に示すような天井面に設置する場合、かりに導光板４を図３に示すような「標準姿勢」に設定すると、この出射面４Ｂ，４Ｃは図７（Ａ）のような状態であり、天井面に対して平行又は垂直に配置された状態となる。
【００５１】
従って、その発光強度は、天井面に平行か或いは天井面に垂直な方向が最大であるから、インジケータの発光動作を視認により確認しようとすると、目線が天井の近くにあるか、若しくは子機１の直下で確認するのが最も確実である。ところが、誰でもが天井近くの高さで簡単に確認するというのは現実的には難しい。一方、子機１の設置された場所の直下までわざわざ戻って確認するのは面倒であるとともに、顔を真上に曲げるのに苦痛を伴う。
【００５２】
そこで、導光板４を回動させ、図２に示すような「傾斜姿勢」状態に導光板４の姿勢を変更・調整すると、出射面４Ｂ，４Ｃは図７（Ｂ）のような状態となり、発光強度は天井面よりも斜め下方向が最大となるので、子機１の設置位置からある程度離れた場所でも、或は目線が天井から離れた低い高さ（つまり、床面に立った状態）でも、インジケータの発光動作を確実に確認することができる。
【００５３】
また、例えば図１０に示すように、この子機１を各種の載置台７や床面に設置する場合には、導光板４を図３に示すような「標準姿勢」に設定すると、出射面４Ｂ，４Ｃは図７（Ａ）のような状態となる。このため、子機１の近傍に立った状態で、しかも顔を真上まで曲げなくても、楽な姿勢でインジケータの発光動作を確実に確認することができる。
【００５４】
ところで、この子機１では、この子機１と外部側の商用電源などとを接続するケーブルが、筐体１０において正面１０Ｂとは反対の面（以下、これを「裏面」とよぶ）１０Ｆから引き出されていることが多く、この場合には、裏面１０Ｆでは接続ケーブルとの接続部分であるコネクタなどに埃などが付着・堆積して発火するといったトラブルなどを防止するために、裏面１０Ｆを下向きに配置して床面の方向に向かうようにすることが重要となっている。
【００５５】
従って、例えば図１１に示すように、この子機１を壁面８などに取付ける場合には、筐体１の正面１０Ｂは上方に向けて、しかもいたずらや感電事故等を未然に防止する必要上、どうしても壁面の高所に配置しなければならないといった事情がある。このような配置で子機１を設置する場合、かりに、導光板４を「標準姿勢」に設定すると、出射面４Ｂ，４Ｃは図７（Ａ）のような状態となる。
【００５６】
このため、前述の天井面に設置する場合と同様に、発光強度は、天井面に平行な高所位置或いは子機１の直上方向が最大である。従って、インジケータの発光動作を視認により確認しようとすると、目線がどうしても天井の近くにあるか、若しくは子機１の直上の天井近くで確認するのが最も確実である。ところが、天井近くの高さに目線を持っていき、そこで簡単に確認するというのは現実的には難しい。
【００５７】
一方、導光板４の姿勢を「傾斜姿勢」に設定すると、出射面４Ｂが斜め下方を指向する配置となるので、これより低い目線位置である観察者が立った状態で、しかも、この壁面にわざわざ近づかずにある程度離れていても、容易に、かつ、確実にそのインジケータの発光状態を目視することができるようになる。
【００５８】
このように、本実施の形態によれば、子機１の各種の設置態様に合わせて、ユーザ自身が、導光板４の姿勢を適宜変更させることにより、インジケータを視認し易い方向に調整することが可能である。しかも、本実施の形態では、各スリット１０Ｄ，１０Ｅが、それぞれ、複数の外面１０Ａ，１０Ｂに亙りその外面どうしが交わるエッジ部分を含んで穿設してあるので、導光板４のエッジ部分に相当する部位からも出射させることができ、輝度の高い発光状態も実現可能となる。
【００５９】
なお、本発明の発光表示器は、特に本実施の形態のようなセキュリテイ用の無線動画伝送システムに限定して適用されるものではなく、例えば防災用、教育用、遠隔医療診断用等の各種用途の無線動画伝送システムにも幅広く適用することができるものである。また、この無線動画伝送システムに用いる子機は、前述したように、天井面に限らず、壁面、適宜の載置台などの各種場所に取付けることが可能である。さらに、本発明は、このような無線動画伝送システム用に限らず、各種の幅広い電気機器や電子機器の発光表示器としての適用が可能である。
【００６０】
【発明の効果】
以上説明してきたように、本発明によれば、導光板の姿勢を変更させることで、ユーザの好みに合わせて発光方向を簡単に変更したり、調整することができ、しかも、簡易な構成のもので実現できるので、低コストで発光表示器を提供することが可能となる。
【図面の簡単な説明】
【図１】本発明の一実施の形態に係る発光表示器が適用されたセキュリテイ用の無線動画像伝送装置の子機を示す概略斜視図である。
【図２】図１に示す無線動画像伝送装置の子機に設けた発光表示器を示す要部断面図である。
【図３】図１０に示す載置台に無線動画像伝送装置の子機を設置した場合の導光板の姿勢を示す要部断面図である。
【図４】図２におけるＩＶ−ＩＶ線断面図である。
【図５】図４におけるＶ−Ｖ線断面図である。
【図６】図１に示す無線動画像伝送装置の子機に設けた発光表示器を示す平面図である。
【図７】本発明の発光表示器による発光方向を示す説明図であり、（Ａ）は標準姿勢のときの発光状態、（Ｂ）は傾斜姿勢のときの発光状態を示すものである。
【図８】図１に示す無線動画像伝送装置の子機に設けた発光表示器における導光板の取付け方法を示す要部の斜視図である。
【図９】図１に示す無線動画像伝送装置の子機を天井に取り付ける時の状態を示す説明図である。
【図１０】本発明の発行表示器を取付けた無線動画像伝送装置の子機の他の設置態様を示す斜視図である。
【図１１】図１に示す無線動画像伝送装置の子機を壁面の高所に取り付ける時の状態を示す説明図である。
【図１２】従来の発光表示器を示す概略断面図である。
【符号の説明】
１　　　無線動画像伝送装置の子機
１０　　筐体
１０Ａ　天面
１０Ｂ　側面（正面）
１０Ｃ　稜線（エッジ部分）
１０Ｄ　スリット（インジケータ）
１０Ｅ　スリット（インジケータ）
１０Ｆ　裏面
１１　　押圧部材
１１Ａ　係合部
１２　　挟持部材
１２Ａ　挟持面
１２Ｂ　テーパ面
１２Ｃ　段差面
１２Ｄ　段差面
１３　　アンテナ
２　　　発光表示器
３　　　光源（ＬＥＤ）
４　　　導光板
４Ａ　　副入射部
４Ｂ　　出射面（発光面）（インジケータ）
４Ｃ　　出射面（発光面）（インジケータ）
４Ｄ　　被係合部（主入射部）
４Ｅ　　被係合部
４Ｆ　　外縁面
４０　　被挟持面
４１　　膨出部（被挟持部）
４１Ａ　一辺
４１Ｂ　一辺
４１Ｃ　一辺
５　　　監視カメラ
６　　　ブラケット
７　　　載置台
α　　　受け部
β　　　角部
【図１】
2004144911.tif 000003
【図２】
2004144911.tif 000004
【図３】
2004144911.tif 000005
【図４】
2004144911.tif 000006
【図５】
2004144911.tif 000007
【図６】
2004144911.tif 000008
【図７】
2004144911.tif 000009
【図８】
2004144911.tif 000010
【図９】
2004144911.tif 000011
【図１０】
2004144911.tif 000012
【図１１】
2004144911.tif 000013
【図１２】
2004144911.tif 000014